(57)【要約】      （修正有）【課題】開封されたことを示す識別標識が、外部から視認できるようにするか視認できないようにするか選択することができ、開封されたことを示す識別標識を外部から視認できるようにするときにゴミが発生しない包装用箱を提供する。【解決手段】４枚の外周壁を構成し連設された第１側板１、第２側板２、第３側板３、第４側板４と、第１側板１の端部に折目を介して連設され、貫通した差し込み部１１ａを有する蓋フラップ片１１と、第２側板２又は第４側板４の少なくとも一方の端部に折目を介して連設され、外側に向けて突設された突部４１ａを有するとともに開封されたことを示す識別標識４１ｂが付されている補助フラップ片４１を備えている包装用箱であって、突部４１ａが差し込み部１１ａに差し込まれ、補助フラップ片４１が蓋フラップ片１１に係止自在にする。【選択図】図１
0003212210.tif 000002
【実用新案登録請求の範囲】
【請求項１】
４枚の外周壁を構成し連設された第１側板（１）、第２側板（２）、第３側板（３）、第４側板（４）と、
前記第１側板（１）の端部に折目を介して連設され、貫通した差し込み部（１１ａ）を有する蓋フラップ片（１１）と、
前記第２側板（２）、前記第３側板（３）又は前記第４側板（４）から選ばれる少なくとも一の側板の端部に折目を介して連設され、開封されたことを示す識別標識（４１ｂ）が付されている補助フラップ片（４１）を備え、
前記補助フラップ片（４１）の一部が前記差し込み部（１１ａ）に差し込まれ、前記補助フラップ片（４１）が前記蓋フラップ片（１１）に係止自在であることを特徴とする包装用箱。
【請求項２】
前記蓋フラップ片（１１）を閉めるときに、前記補助フラップ片（４１）の前記識別標識（４１ｂ）が前記蓋フラップ片（１１）の外側から視認可能に、前記補助フラップ片（４１）が前記蓋フラップ片（１１）の外側に係止されることを特徴とする請求項１に記載の包装用箱。
【請求項３】
前記差し込み部（１１ａ）が、切込み線又は孔であることを特徴とする請求項１又は請求項２に記載の包装用箱。
【請求項４】
補助フラップ片（４１）における基端部から頂部の長さ（ｔ1）が、蓋フラップ片（１１）における補助フラップ片（４１）側の端部から差し込み部（１１ａ）までの長さ（ｔ2）よりも０．５〜６０％長いことを特徴とする請求項１から請求項３のいずれかに記載の包装用箱。
【請求項５】
前記識別標識（４１ｂ）が文字又はピクトグラムであることを特徴とする請求項１から請求項４のいずれかに記載の包装用箱。
【考案の詳細な説明】
【技術分野】
【０００１】
本考案は、特に食品、飲料、医薬品等の物品を収容し、開封済みであることを示すことが可能である包装用箱に関するものである。
【背景技術】
【０００２】
従来、薬局など薬剤を取り扱う医療機関では、医薬品が包装用箱に収容された状態で棚やケースなどの保管場所で管理されるところ、一度も使用されたことがない未開封のものか一度は開封されたものであるかが瞬時に識別しにくいために、開封されたものについては一目で開封されていることを示す表示が可能である包装用箱が種々知られている。
【０００３】
例えば、特許文献１には、蓋の一部に切取り部を設けて、開封後にはその切取り部を切り取ることにより、蓋と重なるフラップ片に記載された開封済などの表記が切り取った隙間に位置して、その表記を外部から視認可能となる包装用箱が開示されている。
【先行技術文献】
【特許文献】
【０００４】
【特許文献１】実用新案登録第３２０６１２５号公報
【考案の概要】
【考案が解決しようとする課題】
【０００５】
しかしながら、特許文献１に記載の包装用箱では、開封しなくても誤って「開封済」と表示してしまう可能性があることや、開封後に切取り部を切り取ると常に開封済などの表記が外部から視認できる状態となり、開封済などの表記が外部から視認する必要がなくなったときや、開封後に開封済などの表記が外部から敢えて視認できないようにするときなど実際の現場に応じて柔軟な対応を採ることが困難であるという課題があった。
【０００６】
また、特許文献１に記載の包装用箱では、開封後に切取り部を切り取ると、その切り取った部分はゴミであるため廃棄する必要があり、廃棄する手間が発生することも課題であった。
【０００７】
そのため、本考案において、開封されたことを示す識別標識が、開封後であっても外部から視認できるようにするか視認できないようにするか選択することができ、また、開封されたことを示す識別標識を外部から視認できるようにするときにゴミくずが発生しない包装用箱を提供することを目的とする。
【課題を解決するための手段】
【０００８】
〔１〕すなわち、本考案は、４枚の外周壁を構成し連設された第１側板（１）、第２側板（２）、第３側板（３）、第４側板（４）と、前記第１側板（１）の端部に折目を介して連設され、貫通した差し込み部（１１ａ）を有する蓋フラップ片（１１）と、前記第２側板（２）、前記第３側板（３）又は前記第４側板（４）から選ばれる少なくとも一の側板の端部に折目を介して連設され、開封されたことを示す識別標識（４１ｂ）が付されている補助フラップ片（４１）を備え、前記補助フラップ片（４１）の一部が前記差し込み部（１１ａ）に差し込まれ、前記補助フラップ片（４１）が前記蓋フラップ片（１１）に係止自在であることを特徴とする包装用箱である。
【０００９】
〔２〕そして、前記蓋フラップ片（１１）を閉めるときに、前記補助フラップ片（４１）の前記識別標識（４１ｂ）が前記蓋フラップ片（１１）の外側から視認可能に、前記補助フラップ片（４１）が前記蓋フラップ片（１１）の外側に係止されることを特徴とする前記〔１〕に記載の包装用箱である。
【００１０】
〔３〕そして、前記差し込み部（１１ａ）が、切込み線又は孔であることを特徴とする前記〔１〕又は前記〔２〕に記載の包装用箱である。
【００１１】
〔４〕そして、補助フラップ片（４１）における基端部から頂部の長さ（ｔ1）が、蓋フラップ片（１１）における補助フラップ片（４１）側の端部から差し込み部（１１ａ）までの長さ（ｔ2）よりも０．５〜１０％長いことを特徴とする前記〔１〕から前記〔３〕のいずれかに記載の包装用箱である。
【００１２】
〔５〕そして、前記識別標識（４１ｂ）が文字又はピクトグラムであることを特徴とする前記〔１〕から前記〔３〕のいずれかに記載の包装用箱である。
【考案の効果】
【００１３】
本考案の包装用箱によれば、開封されたことを示す識別標識が、開封後であっても外部から視認できるようにするか視認できないようにするか選択することができ、また、開封されたことを示す識別標識を外部から視認できるようにするときにゴミくずが発生しないようにすることができる。
【図面の簡単な説明】
【００１４】
【図１】本考案の第一実施形態における包装用箱を展開した状態の表面図である。
【図２】本考案の第一実施形態における包装用箱が組立てられた状態を示す斜視図である。
【図３】本考案の第一実施形態における包装用箱の蓋フラップ片、補助フラップ片などが開かれた状態を示す斜視図である。
【図４】本考案の第一実施形態における包装用箱の補助フラップ片が蓋フラップ片の外側に係止された状態を示す斜視図である。
【図５】本考案の第二実施形態における包装用箱を展開した状態の表面図である。
【図６】本考案の第三実施形態における包装用箱を展開した状態の表面図である。
【考案を実施するための形態】
【００１５】
以下、本考案に係る包装用箱に関する実施の形態について、添付の図面に基づいて詳しく説明する。なお、以下に説明する各実施形態は、本考案を実施するに好ましい具体例であるから、技術的に種々の限定がなされているが、本考案は、以下の説明において特に考案を限定する旨が明記されていない限り、この形態に限定されるものではない。そして、数値範囲を表す表現は下限と上限を含有するものである。また、説明中の上下方向及び左右方向は、図１、図５、図６における上下方向及び左右方向にそれぞれ対応している。
【００１６】
図１〜図４は、本考案の第一実施形態を示している。第一実施形態における包装用箱は、図１に示すように、それぞれ矩形状の後側板１、左側板２、前側板３、右側板４が左右方向の左から右に向かって、折目ａ、ｂ、ｃを介して順次連設されている。本実施形態における後側板１、左側板２、前側板３、右側板４が請求の範囲における第１側板、第２側板、第３側板、第４側板に対応している。そして、後側板１の上辺には、後側板１、左側板２、前側板３、右側板４によって囲まれる収容空間Ｓを塞ぐ蓋となる蓋フラップ片１１が折目ｄを介して連設されており、蓋フラップ片１１を開け閉めを行うことにより、収容空間Ｓに物品を収容したり、取り出したりすることができる。なお、本実施形態において、後側板１、左側板２、前側板３、右側板４は矩形状であるが、他の実施形態において、正方形とすることができる。
【００１７】
後側板１は、図１に示すように、上述したように矩形状の平板であり、組み立てられた包装用箱における一つの側面を構成する。後側板１の右側の長辺には左側板２が折目ａを介して連設され、左側の長辺には貼着板５が折目ｅを介して連設されている。また、後側板１の上側の短辺には蓋フラップ片１１が折目ｄを介して連設され、下側の短辺には底フラップ片１２が折目ｆを介して連設されている。なお、本実施形態において、蓋フラップ片１１は後側板１に連設されているが、他の実施形態において、後側板１ではなく左側板２、前側板３又は右側板４に連設することができ、そのとき後述する上フラップ片２１・４１は蓋フラップ片１１が連設されている側板ではない他の側板に連設されることとなる。
【００１８】
蓋フラップ片１１は、図３などに示すように、後側板１、左側板２、前側板３、右側板４によって囲まれ、物品を収容する収容空間Ｓを上側から覆う蓋部材である。なお、本実施形態において、蓋フラップ片１１は矩形状であるが、他の実施形態において、後側板１、左側板２、前側板３、右側板４の上側の辺の長さに応じて正方形とすることができる。そして、蓋フラップ片１１における後側板１と連設される辺に対向する辺には、折目ｇを介して略矩形状の上側接着片１３が連設されている。物品を収容し梱包するときには、上側接着片１３を前側板３の裏面に接着して密閉される。
【００１９】
蓋フラップ片１１には、中央近傍に蓋フラップ片１１を貫通した差し込み部１１ａが形成されている。差し込み部１１ａに上フラップ片４１の一部である突部４１ａが差し込まれることにより、蓋フラップ片１１に対して上フラップ片４１を係止することができる。そして、上フラップ片４１が蓋フラップ片１１よりも外側に位置するように蓋フラップ片１１に対して係止されることにより、上フラップ片４１に付された後述する識別標識４１ｂが、包装用箱の外側、より具体的には上方より視認可能となり、開封されたことが一目瞭然となる。本実施形態において、略ヨの字状の切込み線が入れられており、その切込み線の近傍を押さえることで生じた隙間に上フラップ片４１の一部である突部４１ａを差し込むことにより、蓋フラップ片１１に対して上フラップ片４１を係止することができる。また、差し込み部１１ａは、他の実施形態において、切込み線に代えて、破断線によって切り取って形成される円形、楕円形、長孔など孔形状とすることができ、形成された孔に上フラップ片４１の一部である突部４１ａを差し込み、その突部４１ａの全部又は一部を蓋フラップ片１１の裏面と係合させることにより、蓋フラップ片１１に対して上フラップ片４１を係止することができる。また、図６に示す第三実施形態において、差し込み部１１ａは図１に示す位置から略４５度傾斜した位置に配設することができる。
【００２０】
底フラップ片１２は、後側板１、左側板２、前側板３、右側板４によって囲まれ、物品を収容する収容空間Ｓを下側から覆う底部材である。なお、本実施形態において、底フラップ片１２は矩形状であるが、他の実施形態において、後側板１、左側板２、前側板３、右側板４の上側の辺の長さに応じて正方形とすることができる。そして、底フラップ片１２における後側板１と連設される辺に対向する辺には、折目ｈを介して略矩形状の下側接着片１４が連設されている。物品を収容し梱包するときには、下側接着片１４を前側板３の裏面に接着して密閉される。
【００２１】
左側板２は、上述したように矩形状の平板であり、組み立てられた包装用箱における一つの側面を構成する。左側板２の右側の長辺には前側板３が折目ｂを介して連設され、左側の長辺には後側板１が折目ａを介して連設されている。また、左側板２の上側の短辺には上フラップ片２１が折目ｉを介して連設され、下側の短辺には下フラップ片２２が折目ｊを介して連設されている。
【００２２】
前側板３は、上述したように矩形状の平板であり、組み立てられた包装用箱における一つの側面を構成する。前側板３の右側の長辺には右側板４が折目ｃを介して連設され、左側の長辺には左側板２が折目ｂを介して連設されている。また、前側板３の上側の短辺の中央には破断線ｋにより区画された略矩形状の破断部３１が設けられており、図２に示すように、密閉された状態から破断部３１を押し付けることで、破断線ｋが破断し破断部３１の裏面に貼着された上側接着片１３と一体となって破断部３１が分離することにより、蓋フラップ片１１を開いて開蓋状態とすることができる。
【００２３】
右側板４は、上述したように矩形状の平板であり、組み立てられた包装用箱における一つの側面を構成する。右側板４の左側の長辺には前側板３が折目ｃを介して連設されている。また、右側板４の上側の短辺には請求の範囲における補助フラップ片に対応する上フラップ片４１が折目ｌを介して連設され、下側の短辺には下フラップ片４２が折目ｍを介して連設されている。
【００２４】
そして、上フラップ片４１には、右側板４側の辺に対向する辺から外側、すなわち図１に示すように上側に向けて、突部４１ａが角を丸めた略矩形状に突設されている。上述したように、突部４１ａが差し込み部１１ａに差し込まれることにより、蓋フラップ片１１に対して上フラップ片４１を係止することができる。図５に示す第二実施形態、図６に示す第三実施形態のように、突部４１ａの大きさを種々変更することができる。また、本実施形態において、突部４１ａが上フラップ片４１の一端側より外側に向けて突出して設けられているが、他の実施形態において、突部４１ａに相当する部分を設けずに、上フラップ片４１の一端側が他端側より幅を狭くなるように形成され、その一端側が差し込み部１１ａに差し込まれることにより、蓋フラップ片１１に対して上フラップ片４１を係止するようにすることができる。
【００２５】
さらに、上フラップ片４１には、開封されたことを示す識別標識４１ｂが付されており、一瞥して開封されていることが認識されるものである。具体的に、識別標識４１としては、図１に示す「開封済」や、図２に示す第二実施形態における「ｏｐｅｎｅｄ」、又は「ＵＮＳＥＡＬＥＤ」などの各種言語の文字や、図３に示す第三実施形態のように、開封されていることをイメージできるピクトグラムや、記号などが好ましい。
【００２６】
上フラップ片４１における基端部から突部４１ａの頂部の長さｔ1が、組み立てられたときの蓋フラップ片１１における上フラップ片４１側の端部から差し込み部１１ａまでの長さｔ2よりも０．５〜６０％長いことが好ましく、５〜１０％長いことがより好ましい。この範囲に設定することにより、図４に示すように、開封後に上フラップ片４１を蓋フラップ片１１の外側に位置するように重ね合わせて上フラップ片４１を押さえることにより、蓋フラップ片１１が撓み、そして切込み線である差し込み部１１ａに生じた隙間に上フラップ片４１の一部である突部４１ａが差し込まれることになるので、一度の操作で蓋フラップ片１１に対して上フラップ片４１を係止することができる。図５に示す第二実施形態、図６に示す第三実施形態においても同様である。
【００２７】
貼着板５は、図１に示すように、後側板１の左側の長辺に折目ｅを介して連設されている。貼着板５は、図２〜図４のように組み立てられたときに、右側板４の裏面に接着剤などの固着手段により接着されることにより、収納空間Ｓが安定して形成される。
【００２８】
上述したように、包装用箱の上方より識別標識４１ｂが視認可能となるように、上フラップ片４１が蓋フラップ片１１よりも外側に位置するように蓋フラップ片１１に対して係止することもできるが、上フラップ片４１を内側にして蓋フラップ片１１が外側に位置するように蓋フラップ片１１を閉じることにより、種々の理由により開封後であっても包装用箱の上方より識別標識４１ｂが視認できないようにすることもできるので、開封後であっても外部から視認できるようにするか視認できないようにするか選択することができる。
【００２９】
また、識別標識４１ｂが付された上フラップ片４１を蓋フラップ片１１よりも外側に位置させるだけで、開封されたことを示す識別標識を外部から視認できるようにすることができるため、ゴミくずが発生しない。
【符号の説明】
【００３０】
１・・・後側板（第１側板）
１１・・・蓋フラップ片
１１ａ・・・差し込み部
１２・・・底フラップ片
１３・・・上側接着片
１４・・・下側接着片
２・・・左側板（第２側板）
２１・・・上フラップ片
２２・・・下フラップ片
３・・・前側板（第３側板）
３１・・・破断部
４・・・右側板（第４側板）
４１・・・上フラップ片（補助フラップ片）
４１ａ・・・突部
４１ｂ・・・識別標識
４２・・・下フラップ片
５・・・貼着板
Ｓ・・・収納空間
【図１】
0003212210.tif 000003
【図２】
0003212210.tif 000004
【図３】
0003212210.tif 000005
【図４】
0003212210.tif 000006
【図５】
0003212210.tif 000007
【図６】
0003212210.tif 000008